(57)【特許請求の範囲】
【請求項１】
表示手段と、
ユーザの指により接触操作される接触入力手段と、
前記接触入力手段に対する接触状態を連続させた接触操作である第１の接触操作を行う前記ユーザの指の数と軌跡を検出する第１の検出手段と、
前記第１の検出手段により検出された前記第１の接触操作を行う前記ユーザの指の数と軌跡に応じた態様の接触操作領域を前記接触入力手段上に設定する設定手段と、
前記表示手段における前記接触操作領域に対応する位置を識別可能に表示させる制御を行う表示制御手段と、
前記設定手段により設定された前記接触操作領域内での接触操作である第２の接触操作を検出する第２の検出手段と、
前記第２の検出手段により検出された前記第２の接触操作に基づいて、コンテンツの出力を制御する出力制御手段と、
を備えることを特徴とする出力制御装置。
【請求項２】
前記設定手段は、前記第１の検出手段により検出された前記第１の接触操作の軌跡と予め設定されている所定の軌跡の特徴が一致する場合に、当該第１の接触操作の軌跡の大きさに応じた大きさの前記接触操作領域を設定することを特徴とする請求項１に記載の出力制御装置。
【請求項３】
複数種類の互いに異なる前記第１の接触操作の軌跡の特徴と、コンテンツを出力する際の互いに異なる制御内容とを対応付けて記録する記録手段を更に備え、
前記設定手段は、前記第１の検出手段により検出された前記第１の接触操作の軌跡と予め前記記録手段に記録されている所定の軌跡の特徴が一致する場合に、前記接触操作領域を設定するとともに、前記第１の接触操作の軌跡の特徴と対応付けられている制御内容を設定し、
前記表示制御手段は、前記設定手段により設定された制御内容に対応する接触操作用画像を前記表示手段における前記接触操作領域に対応する位置に表示させる制御を行い、
前記出力制御手段は、前記第２の検出手段により検出された前記接触操作用画像上での前記第２の接触操作に基づいて、前記設定手段により設定された制御内容でコンテンツの出力を制御することを特徴とする請求項１又は２に記載の出力制御装置。
【請求項４】
コンテンツは、動画像であり、
前記設定手段は、前記接触操作領域を設定するとともに、前記第１の接触操作の軌跡の特徴と対応付けられている前記動画像を再生する際の制御内容を設定し、
前記表示制御手段は、前記動画像を再生する際、前記設定手段により設定された制御内容に対応する接触操作用画像を前記表示手段における前記接触操作領域に対応する位置に表示させる制御を行い、
前記出力制御手段は、前記第２の検出手段により検出された前記接触操作用画像上での前記第２の接触操作に基づいて、前記接触操作用画像に対応する制御内容で前記動画像の再生を制御することを特徴とする請求項３に記載の出力制御装置。
【請求項５】
前記出力制御手段は、更に、
前記第１の検出手段により検出された前記第１の接触操作の軌跡と予め設定されている所定の軌跡の特徴が一致しないか、或いは、前記設定手段により前記接触操作領域が設定されている状態で前記第２の接触操作以外の接触操作が行われた場合には、前記第２の接触操作に基づいて行われる制御内容とは異なる制御内容でコンテンツの出力を制御することを特徴とする請求項３又は４に記載の出力制御装置。
【請求項６】
前記設定手段は、前記第１の接触操作が所定の種類の接触操作である場合に、当該第１の接触操作の軌跡の大きさに応じた大きさの前記接触操作領域を設定することを特徴とする請求項１〜５の何れか一項に記載の出力制御装置。
【請求項７】
前記出力制御手段は、更に、
前記第１の接触操作が所定の種類の接触操作である場合に、当該第１の接触操作に基づいて、コンテンツの出力を制御することを特徴とする請求項６に記載の出力制御装置。
【請求項８】
コンテンツは、動画像であり、
前記設定手段は、前記第１の接触操作がピンチ操作である場合に、当該第１の接触操作の軌跡の大きさに応じた大きさの前記接触操作領域を設定し、
前記出力制御手段は、前記第１の接触操作がピンチ操作である場合に、当該第１の接触操作に基づいて、前記表示手段に表示されている前記動画像の一部分の寸法を変更して表示させる制御を行い、前記第２の検出手段により検出された前記第２の接触操作に基づいて、前記動画像の寸法を変更して表示される一部分を移動させる制御を行うことを特徴とする請求項１〜７の何れか一項に記載の出力制御装置。
【請求項９】
前記設定手段は、
前記第２の検出手段により検出される前記第２の接触操作の終了に基づいて、前記接触入力手段上での前記接触操作領域の設定を解除することを特徴とする請求項１〜８の何れか一項に記載の出力制御装置。
【請求項１０】
前記設定手段は、
前記接触入力手段上における前記第１の検出手段により検出された前記第１の接触操作の軌跡に対応する位置に前記接触操作領域を設定することを特徴とする請求項１〜９の何れか一項に記載の出力制御装置。
【請求項１１】
表示手段と、ユーザの指により接触操作される接触入力手段とを備える出力制御装置を用いた出力制御方法であって、
前記接触入力手段に対する接触状態を連続させた接触操作である第１の接触操作を行う前記ユーザの指の数と軌跡を検出する処理と、
検出された前記第１の接触操作を行う前記ユーザの指の数と軌跡に応じた態様の接触操作領域を前記接触入力手段上に設定する処理と、
前記表示手段における前記接触操作領域に対応する位置を識別可能に表示させる制御を行う処理と、
設定された前記接触操作領域内での接触操作である第２の接触操作を検出する処理と、
検出された前記第２の接触操作に基づいて、コンテンツの出力を制御する処理と、
を含むことを特徴とする出力制御方法。
【請求項１２】
表示手段と、ユーザの指により接触操作される接触入力手段とを備える出力制御装置のコンピュータに、
前記接触入力手段に対する接触状態を連続させた接触操作である第１の接触操作を行う前記ユーザの指の数と軌跡を検出する機能と、
検出された前記第１の接触操作を行う前記ユーザの指の数と軌跡に応じた態様の接触操作領域を前記接触入力手段上に設定する機能と、
前記表示手段における前記接触操作領域に対応する位置を識別可能に表示させる制御を行う機能と、
設定された前記接触操作領域内での接触操作である第２の接触操作を検出する機能と、
検出された前記第２の接触操作に基づいて、コンテンツの出力を制御する機能と、
を実現させることを特徴とするプログラム。
【発明の詳細な説明】
【技術分野】
【０００１】
本発明は、出力制御装置、出力制御方法及びプログラムに関する。
【背景技術】
【０００２】
従来、ユーザが動画再生における早送り、巻き戻し、スロー再生といった速度調整を行うことができるように操作子を備える表示装置が知られている。しかしながら、操作子は動画像の表示部とは別に設けられており、表示装置の小型化の妨げになるという問題があった。
そこで、タッチパネル上におけるスライド操作の方向と速度とにより、動画像の再生速度を制御する技術（例えば、特許文献１参照）や、ユーザがタッチパネル上の位置と再生速度の関係を識別可能となるように動画像の表示に半透過で複数の再生速度を表示する技術（例えば、特許文献２参照）が開示されている。
【先行技術文献】
【特許文献】
【０００３】
【特許文献１】特開２００４−１０４５９４号公報
【特許文献２】特開２０１０−１７６５７５号公報
【発明の概要】
【発明が解決しようとする課題】
【０００４】
しかしながら、上記特許文献等の場合、再生速度を制御するための操作量や操作位置等に制限があり、必ずしもユーザにとって使い易いものとはいえない。また、動画像の再生に限らず、静止画像の画像送りやＷｅｂページの表示スクロール、音楽の再生などでも同様の問題が起こりうる。
【０００５】
本発明は、このような問題に鑑みてなされたものであり、本発明の課題は、コンテンツの出力の制御をより容易な操作で行うことができる出力制御装置、出力制御方法及びプログラムを提供することである。
【課題を解決するための手段】
【０００６】
上記課題を解決するための本発明の一態様は、
出力制御装置であって、
表示手段と、
ユーザの指により接触操作される接触入力手段と、
前記接触入力手段に対する接触状態を連続させた接触操作である第１の接触操作を行う前記ユーザの指の数と軌跡を検出する第１の検出手段と、
前記第１の検出手段により検出された前記第１の接触操作を行う前記ユーザの指の数と軌跡に応じた態様の接触操作領域を前記接触入力手段上に設定する設定手段と、
前記表示手段における前記接触操作領域に対応する位置を識別可能に表示させる制御を行う表示制御手段と、
前記設定手段により設定された前記接触操作領域内での接触操作である第２の接触操作を検出する第２の検出手段と、
前記第２の検出手段により検出された前記第２の接触操作に基づいて、コンテンツの出力を制御する出力制御手段と、
を備えることを特徴としている。
【発明の効果】
【０００７】
本発明によれば、コンテンツの出力の制御をより容易な操作で行うことができる。
【図面の簡単な説明】
【０００８】
【図１】本発明を適用した一実施形態の撮像装置の概略構成を示すブロック図である。
【図２】図１の撮像装置に記録されている制御対応付けテーブルの一例を示す図である。
【図３】図１の撮像装置による再生処理に係る動作の一例を示すフローチャートである。
【図４】図３の再生処理におけるコントローラ操作処理に係る動作の一例を示すフローチャートである。
【図５】図３の再生処理を説明するための図である。
【図６】図３の再生処理を説明するための図である。
【図７】図３の再生処理を説明するための図である。
【図８】図３の再生処理を説明するための図である。
【図９】第１のコントローラ画像を用いた操作方法を説明するための図である。
【図１０】図３の再生処理に係る制御内容の一例を説明するための図である。
【発明を実施するための形態】
【０００９】
以下に、本発明について、図面を用いて具体的な態様を説明する。ただし、発明の範囲は、図示例に限定されない。
【００１０】
図１は、本発明を適用した一実施形態の撮像装置１００の概略構成を示すブロック図である。
図１に示すように、本実施形態の撮像装置１００は、具体的には、中央制御部１と、メモリ２と、撮像部３と、画像処理部４と、画像記録部５と、表示部６と、操作入力部７と、スピーカ部８と、テーブル記録部９と、動作処理部１０と、を備えている。
また、中央制御部１、メモリ２、撮像部３、画像処理部４、画像記録部５、表示部６、操作入力部７、スピーカ部８、テーブル記録部９及び動作処理部１０は、バスライン１１を介して接続されている。
【００１１】
中央制御部１は、撮像装置１００の各部を制御するものである。具体的には、中央制御部１は、図示は省略するが、ＣＰＵ（Central Processing Unit）等を備え、撮像装置１００用の各種処理プログラム（図示略）に従って各種の制御動作を行う。
【００１２】
メモリ２は、例えば、ＤＲＡＭ（Dynamic Random Access Memory）等により構成され、中央制御部１、動作処理部１０等によって処理されるデータ等を一時的に格納する。
【００１３】
撮像部３は、所定の被写体を任意の撮像フレームレートで撮像してフレーム画像を生成する。具体的には、撮像部３は、レンズ部３ａと、電子撮像部３ｂと、撮像制御部３ｃとを備えている。
【００１４】
レンズ部３ａは、例えば、ズームレンズやフォーカスレンズ等の複数のレンズから構成されている。
電子撮像部３ｂは、例えば、ＣＣＤ（Charge Coupled Device）やＣＭＯＳ（Complementary Metal-Oxide Semiconductor）等のイメージセンサ（撮像素子）から構成されている。そして、電子撮像部３ｂは、レンズ部３ａの各種レンズを通過した光学像を二次元の画像信号に変換する。
【００１５】
撮像制御部３ｃは、撮像部３による被写体の撮像を制御する。
すなわち、撮像制御部３ｃは、図示は省略するが、タイミング発生器、ドライバなどを備えている。そして、撮像制御部３ｃは、タイミング発生器、ドライバにより電子撮像部３ｂを走査駆動して、レンズ部３ａを通過した光学像を電子撮像部３ｂにより所定周期毎に二次元の画像信号に変換させ、当該電子撮像部３ｂの撮像領域から１画面分ずつフレーム画像を読み出して画像処理部４に出力させる。
また、撮像制御部３ｃは、ＡＦ（自動合焦処理）、ＡＥ（自動露出処理）、ＡＷＢ（自動ホワイトバランス）等の被写体を撮像する際の条件の調整制御を行う。
【００１６】
なお、撮像部３は、レンズ部３ａ、電子撮像部３ｂ及び撮像制御部３ｃに加えて、レンズ部３ａを通過する光の量を調整する絞り、ズームレンズを光軸方向に移動させるズーム駆動部、フォーカスレンズを光軸方向に移動させる合焦駆動部等（何れも図示略）を備えていても良い。
【００１７】
画像処理部４は、電子撮像部３ｂから転送されたフレーム画像のアナログ値の信号に対して各種の画像信号処理を施す。具体的には、画像処理部４は、電子撮像部３ｂから転送されたフレーム画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
また、カラープロセス回路から出力される輝度信号Ｙ及び色差信号Ｃｂ，Ｃｒは、図示しないＤＭＡコントローラを介して、バッファメモリとして使用されるメモリ２にＤＭＡ転送される。
【００１８】
画像記録部５は、例えば、不揮発性メモリ（フラッシュメモリ）等により構成され、画像処理部４の符号化部（図示略）により所定の圧縮形式で符号化された動画像や静止画像の記録用の画像データを記録する。
動画像のファイル形式の一例としては、例えば、横縦の画素数が1280×720pixel、撮像フレームレートが30fpsのMOV形式やH.264/AVCに準拠した形式である。また、音声付きの動画像の場合、例えば、音声はIMA-ADPCM形式（ステレオ音声）で符号化されている。
【００１９】
なお、画像記録部５に記録されている画像データは、当該撮像装置１００の撮像部３により撮像され記録されたものであっても良いし、外部の撮像装置（図示略）により撮像された後、当該撮像装置１００に転送されて画像記録部５に記録されたものであっても良い。
また、画像記録部５は、例えば、記録媒体（図示略）が着脱自在に構成され、装着された記録媒体からのデータの読み出しや記録媒体に対するデータの書き込みを制御する構成であっても良い。
【００２０】
表示部６は、表示パネル６ａの表示画面に画像を表示する。
すなわち、表示部６は、画像処理部４により復号された所定サイズの画像データに基づいて、所定の画像を表示パネル６ａの表示画面に表示する。また、表示部６は、後述するように、動作処理部１０の出力制御部１０ｅの制御下にて、任意の撮像フレームレートで撮影された動画像を所定の再生フレームレート（例えば、30fps）で再生する。
なお、表示パネル６ａは、例えば、液晶表示パネルや有機ＥＬ（Electro-Luminescence）表示パネル等から構成されているが、一例であってこれらに限られるものではない。
【００２１】
操作入力部７は、当該撮像装置１００の所定操作を行うためのものである。具体的には、操作入力部７は、被写体の静止画像の撮像指示や動画像の録画開始指示及び録画終了指示に係るシャッタボタン、撮像モードや再生モードや機能等の選択指示に係る選択決定ボタン、ズーム量の調整指示に係るズームボタン等（何れも図示略）を備えている。
そして、ユーザにより各種ボタンが操作されると、操作入力部７は、操作されたボタンに応じた操作指示を中央制御部１に出力する。中央制御部１は、操作入力部７から出力され入力された操作指示に従って所定の動作（例えば、動画像の再生等）を各部に実行させる。
【００２２】
また、操作入力部７は、表示部６の表示パネル６ａと一体となって設けられたタッチパネル（接触入力手段）７ａを有している。
タッチパネル７ａは、表示パネル６ａの表示領域をなす表示画面に直接的若しくは間接的に接触するユーザの指（手）やタッチペン等の接触位置を検出する。すなわち、タッチパネル７ａは、例えば、表示パネル６ａの表示画面上或いは当該表示画面よりも内側に設けられ、静電容量方式、抵抗膜方式、超音波表面弾性波方式等の各種方式により、表示画面上における接触位置のＸＹ座標を所定のサンプリング周期で検出する。そして、タッチパネル７ａは、接触位置のＸＹ座標に係る位置信号を動作処理部１０に出力する。
【００２３】
スピーカ部８は、中央制御部１のＣＰＵの制御下にて、再生される音声付きの動画像の音声データをデータ変換部（図示略）によりＤ／Ａ変換処理して音声を出力する。また、スピーカ部８は、ユーザによる操作入力部７の所定操作に応じて操作音を出力したり、アラーム音を出力したりしても良い。
【００２４】
テーブル記録部（記録手段）９は、再生処理（後述）にて用いられる制御対応付けテーブルＴ（図２参照）を記録している。
制御対応付けテーブルＴは、第１の接触操作がスワイプ操作である場合に用いられ、具体的には、図２に示すように、「軌跡の特徴」と、「制御内容」とが対応付けられている。
「軌跡の特徴」は、ユーザによる第１の接触操作（後述）の軌跡の特徴を表すものである。第１の接触操作は、例えば、軌跡の形状（例えば、「円」、「直線」、「直角線」、「曲線」等）、押圧量検知型のタッチパネルでは押圧量等を異ならせた複数種類がある。図２に示す制御対応付けテーブルＴでは、「軌跡の特徴」として、第１の接触操作の軌跡の形状を例示する。
「制御内容」は、動画像を再生する際に行われる互いに異なる各種の制御の内容を表すものである。また、「制御内容」に規定されている各種の制御は、コントローラ画像Ｃ（図５（ｂ）等参照）上の第２の接触操作（後述）に基づいて行われ、本実施形態では、「制御内容」に応じてコントローラ画像Ｃの種類を異ならせている（詳細後述）。
【００２５】
具体的には、「軌跡の特徴」が円の軌跡形状を表す「形状：円」の場合、「制御内容」として、再生される動画像を所定のフレーム画像数毎に順方向或いは逆方向に送り再生（例えば、１フレーム画像毎のコマ送り再生等）したり、再生開始位置及び再生終了位置となるフレーム画像を設定するための「送り再生＋始点及び終点の設定」が対応付けられている。また、「軌跡の特徴」が縦方向（ｙ軸方向）の直線の軌跡形状を表す「形状：縦直線」の場合、「制御内容」として、音量を調整するための「音量の調整」が対応付けられている。また、「軌跡の特徴」が縦方向（ｙ軸方向）の直線に連続した横方向（ｘ）の直線の軌跡形状を表す「形状：直角線（縦横）」の場合、「制御内容」として、表示パネル６ａに表示されるフレーム画像を探索するための「表示フレームの探索」が対応付けられている。
なお、上記した制御対応付けテーブルＴにおける「軌跡の特徴」や「制御内容」は、一例であってこれらに限られるものではなく、適宜任意に変更可能である。
【００２６】
動作処理部１０は、第１検出部１０ａと、設定部１０ｂと、コントローラ表示制御部１０ｃと、第２検出部１０ｄと、出力制御部１０ｅとを具備している。
なお、動作処理部１０の各部は、例えば、所定のロジック回路から構成されているが、当該構成は一例であってこれに限られるものではない。
【００２７】
第１検出部１０ａは、第１の接触操作の軌跡を検出する。
すなわち、第１検出部（第１の検出手段）１０ａは、ユーザによるタッチパネル７ａに対する接触状態を連続させた接触操作である第１の接触操作の軌跡を検出する。
ここで、第１の接触操作には、例えば、ユーザの一本の指（例えば、人差し指等）をタッチパネル７ａに接触させた状態で当該タッチパネル７ａ上の異なる位置が連続して接触操作されるスワイプ操作や、ユーザの二本の指（例えば、人差し指と親指等）をタッチパネル７ａに接触させた状態で各指にて当該タッチパネル７ａ上の異なる位置が連続してそれぞれ接触操作されるピンチ操作等がある。
具体的には、タッチパネル７ａは、第１の接触操作に応じてユーザにより接触操作されたそれぞれの接触位置のＸＹ座標に係る位置信号を動作処理部１０に出力する。第１検出部１０ａは、ユーザがタッチパネル７ａに接触し、当該接触が解除されるまで当該タッチパネル７ａから逐次出力される位置信号を逐次入力する。そして、第１測定部１０７ａは、ユーザによる接触操作に応じて逐次入力された位置信号に基づいて、第１の接触操作の軌跡を検出する。例えば、スワイプ操作の場合には、第１の接触操作の一方向へ移動する軌跡が検出され、ピンチ操作の場合には、第１の接触操作の双方向へ移動する軌跡が検出される。
【００２８】
設定部１０ｂは、タッチパネル７ａ上に接触操作領域Ａを設定する。
すなわち、設定部１０ｂは、第１検出部１０ａにより検出された第１の接触操作の軌跡に応じた態様の接触操作領域Ａをタッチパネル７ａ上に設定する。
具体的には、第１の接触操作がスワイプ操作の場合、設定部１０ｂは、テーブル記録部９に記録されている制御対応付けテーブルＴの「軌跡の特徴」の欄を参照して、第１検出部１０ａにより検出された第１の接触操作の軌跡の特徴（例えば、形状が「円」等）と予め設定されている所定の軌跡の特徴（例えば、「形状：円」等）とが一致するか否かを判定する。そして、設定部１０ｂは、第１の接触操作の軌跡の特徴と予め設定されている所定の軌跡の特徴が一致すると判定すると、タッチパネル７ａ上における第１の接触操作の軌跡に対応する位置に当該第１の接触操作の軌跡の大きさに応じた大きさの接触操作領域Ａを設定する。
さらに、設定部１０ｂは、制御対応付けテーブルＴにおける、第１の接触操作の軌跡の特徴である「軌跡の特徴」と対応付けられている「制御内容」の欄を参照して、動画像を再生する際の制御内容（例えば、第１の接触操作の軌跡の特徴が「形状：円」の場合には、「送り再生＋始点終点の設定」等）を設定する。つまり、設定部１０ｂは、第１の接触操作の軌跡の特徴に応じて、異なる制御内容を設定する。
【００２９】
また、第１の接触操作がピンチ操作（所定の種類の接触操作）の場合、設定部１０ｂは、タッチパネル７ａ上における第１の接触操作の軌跡に対応する位置に当該第１の接触操作の軌跡の大きさに応じた大きさの接触操作領域Ａを設定する。さらに、設定部１０ｂは、動画像を再生する際の制御内容として、動画像の寸法を変更して表示される一部分（例えば、拡大表示される動画像の一部分）の移動を設定する。
【００３０】
また、後述する第２検出部により検出される接触操作領域Ａ内でのユーザによる第２の接触操作の終了に基づいて、設定部１０ｂは、タッチパネル７ａ上での接触操作領域Ａの設定を解除する。つまり、設定部１０ｂは、タッチパネル７ａ上におけるユーザにより第１の接触操作が行われた一部分の領域を接触操作領域Ａとして設定した処理を終了させる。
【００３１】
コントローラ表示制御部１０ｃは、コントローラ画像Ｃを表示させる。
すなわち、コントローラ表示制御部（表示制御手段）１０ｃは、設定部１０ｂにより設定された動画像（コンテンツ）を再生する際の制御内容に対応するコントローラ画像Ｃ（接触操作用画像；図５（ｂ）等参照）を、表示パネル６ａにおける接触操作領域Ａに対応する位置に表示させる。つまり、コントローラ表示制御部１０ｃは、コントローラ画像Ｃにより表示パネル６ａにおける接触操作領域Ａに対応する位置を識別可能に表示させる。
具体的には、第１の接触操作がスワイプ操作の場合、上記した設定部１０ｂによる接触操作領域Ａ及び動画像を再生する際の制御内容の設定が行われると、コントローラ表示制御部１０ｃは、制御内容に対応するコントローラ画像Ｃを接触操作領域Ａに重畳させるように表示パネル６ａにＯＳＤ（on-screen display）表示させる。
【００３２】
例えば、第１検出部１０ａにより検出された第１の接触操作の軌跡の特徴が「形状：円」の場合（図５（ａ）参照）、設定部１０ｂにより動画像を再生する際の制御内容として、「送り再生＋始点終点の設定」が設定されると、コントローラ表示制御部１０ｃは、フレーム画像の送り再生や再生開始位置及び再生終了位置の設定を行うための第１のコントローラ画像Ｃ１をＯＳＤ表示させる（図５（ｂ）参照）。この第１のコントローラ画像Ｃ１は、例えば、外形が円形であり、その大きさ（例えば、直径）は、接触操作領域Ａの大きさ、すなわち、第１の接触操作の軌跡の大きさと略等しくなっている。
また、第１検出部１０ａにより検出された第１の接触操作の軌跡の特徴が「形状：縦直線」の場合（図６（ａ）参照）、設定部１０ｂにより動画像を再生する際の制御内容として、「音量の調整」が設定されると、コントローラ表示制御部１０ｃは、音量を調整するための第２のコントローラ画像Ｃ２をＯＳＤ表示させる（図６（ｂ）参照）。この第２のコントローラ画像Ｃ２は、例えば、外形が縦長のバー形状であり、その縦方向の長さは、接触操作領域Ａの縦方向の長さ、すなわち、第１の接触操作の縦方向の軌跡の長さと略等しくなっている。
また、第１検出部１０ａにより検出された第１の接触操作の軌跡の特徴が「形状：直角線（縦横）」の場合（図７（ａ）参照）、設定部１０ｂにより動画像を再生する際の制御内容として、「表示フレームの探索」が設定されると、コントローラ表示制御部１０ｃは、フレーム画像を探索するための第３のコントローラ画像Ｃ３をＯＳＤ表示させる（図７（ｂ）参照）。この第３のコントローラ画像Ｃ３は、例えば、外形が横長のバー形状であり、その横方向の長さは、接触操作領域Ａの横方向の長さ、すなわち、第１の接触操作のうちの横方向（ｘ）の直線の軌跡の長さと略等しくなっている。
なお、第１〜第３のコントローラ画像Ｃ１〜Ｃ３を用いた操作方法については、後述する。
【００３３】
また、第１の接触操作がピンチ操作の場合、上記した設定部１０ｂによる接触操作領域Ａの設定が行われると、コントローラ表示制御部１０ｃは、例えば、拡大表示される動画像の一部分を移動させるための第４のコントローラ画像Ｃ４を接触操作領域Ａに重畳させるように表示パネル６ａにＯＳＤ表示させる（図８（ａ）及び図８（ｂ）参照）。この第４のコントローラ画像Ｃ４は、例えば、外形が円形であり、その大きさ（例えば、直径）は、接触操作領域Ａの大きさ、すなわち、第１の接触操作の軌跡の長さと略等しくなっている。
なお、第４のコントローラ画像Ｃ４を用いた操作方法については、後述する。
【００３４】
第２検出部１０ｄは、第２の接触操作を検出する。
すなわち、第２検出部（第２の検出手段）１０ｄは、タッチパネル７ａ上の接触操作領域Ａ内でのユーザによる接触操作である第２の接触操作を検出する。具体的には、接触操作領域Ａに重畳させるように表示パネル６ａに表示されているコントローラ画像Ｃ上でのユーザによる各種の接触操作（例えば、スライド操作等）を第２の接触操作として検出する。例えば、ユーザによってタッチパネル７ａにおけるコントローラ画像Ｃに対応する位置が接触されると、第２検出部１０ｄは、当該タッチパネル７ａから出力されて入力される接触位置のＸＹ座標に係る位置信号に基づいて、第２の接触操作が行われたか否かを判定する。
【００３５】
出力制御部１０ｅは、表示部６に表示される動画像の再生を制御する。
すなわち、出力制御部１０ｅは、例えば、ＶＲＡＭ（Video Random Access Memory）、ＶＲＡＭコントローラ、デジタルビデオエンコーダなど（何れも図示略）を備えている。そして、デジタルビデオエンコーダは、画像処理部４により復号されてＶＲＡＭに記録されている輝度信号Ｙ及び色差信号Ｃｂ，Ｃｒを、ＶＲＡＭコントローラを介してＶＲＡＭから所定の再生フレームレート（例えば、30fps）で読み出して、これらのデータを元にビデオ信号を発生して表示部６の表示パネル６ａに出力する。
また、出力制御部（出力制御手段）１０ｅは、第２検出部１０ｄにより検出された第２の接触操作に基づいて、動画像の再生（コンテンツの出力）を制御する。
具体的には、第１の接触操作がスワイプ操作の場合、出力制御部１０ｅは、第２検出部１０ｄにより検出されたコントローラ画像（接触操作用画像）Ｃ上でのユーザによる第２の接触操作に基づいて、設定部１０ｂにより設定された制御内容で動画像の再生を制御する。
【００３６】
さらに、出力制御部１０ｅは、第１検出部１０ａにより検出された第１の接触操作の軌跡の特徴と予め設定されている所定の軌跡の特徴が一致しない場合や、設定部１０ｂにより接触操作領域Ａが設定されている状態で第２の接触操作以外の接触操作が行われた場合には、第２の接触操作に基づいて行われる制御内容とは異なる制御内容で動画像の再生を制御する。
ここで、第１の接触操作の軌跡の特徴と予め設定されている所定の軌跡の特徴が一致しない場合には、ユーザによるスワイプ操作が未終了の状態、すなわち、ユーザによるタッチパネル７ａ上の接触操作が解除されずにスワイプ操作が継続している状態も含む。
つまり、出力制御部１０ｅは、タッチパネル７ａにおける接触操作領域Ａに重畳するコントローラ画像Ｃ上でユーザにより第２の接触操作が行われると、設定部１０ｂにより設定された制御内容で動画像の再生を制御する。一方、出力制御部１０ｅは、タッチパネル７ａに接触操作領域Ａが未設定の状態（第１の接触操作の軌跡が未検出の状態も含む）や、タッチパネル７ａにおける接触操作領域Ａ以外でユーザにより接触操作（例えば、スワイプ操作）が行われると、設定部１０ｂにより設定される制御内容とは異なる制御内容で動画像の再生を制御する。
【００３７】
＜第１のコントローラ画像の操作方法＞
設定部１０ｂにより設定された動画像を再生する際の制御内容が、「送り再生＋始点終点の設定」の場合に、表示パネル６ａには第１のコントローラ画像Ｃ１が表示される（図５（ｂ）参照）。
この第１のコントローラ画像Ｃ１は、例えば、外周側に円環状の送り再生用操作部Ｃ１ａが設けられている。送り再生用操作部Ｃ１ａは、ユーザが時計回り或いは反時計回りに円弧状のスライド操作、具体的には、再生位置を決定するための指標Ｃ１ｄを移動させるために一回転未満の操作や一回転以上の回動操作等を行うためのものである。この送り再生用操作部Ｃ１ａが時計回りにスライド操作されることで、出力制御部１０ｅは、動画像を順方向に送り再生し（図９（ａ）参照）、一方、送り再生用操作部Ｃ１ａが反時計回りにスライド操作されることで、出力制御部１０ｅは、動画像を逆方向に送り再生する（図９（ｂ）参照）。また、送り再生用操作部Ｃ１ａは、所定の数で等分（例えば、８等分）され、各区画が動画像を各フレーム画像毎にコマ送り操作するためのものである。
送り再生用操作部Ｃ１ａの内側（中心側）の円形部分は、縦線（上下線）で分割され、左側に始点設定用操作部Ｃ１ｂが設けられ、右側に終点設定用操作部Ｃ１ｃが設けられている。
すなわち、ユーザにより送り再生用操作部Ｃ１ａが操作されることで、出力制御部１０ｅは、表示パネル６ａに表示される動画像を送り再生し、ユーザが所望するフレーム画像が表示されている状態で、始点設定用操作部Ｃ１ｂや終点設定用操作部Ｃ１ｃが操作されると、出力制御部１０ｅは、再生開始位置や再生終了位置を設定可能となっている。
また、再生開始位置及び再生終了位置の設定が終了すると、コントローラ表示制御部１０ｃは、第１のコントローラ画像Ｃ１の表示を終了させる。
【００３８】
＜第２のコントローラ画像の操作方法＞
設定部１０ｂにより設定された動画像を再生する際の制御内容が、「音量の調整」の場合に、表示パネル６ａには第２のコントローラ画像Ｃ２が表示される（図６（ｂ）参照）。
この第２のコントローラ画像Ｃ２は、例えば、現在の音量を決定するためのスライダＣ２ａが設けられている。このスライダＣ２ａがユーザにより接触操作（タップ）された位置に移動可能となっており、この状態で、図６（ｂ）における上側或いは下側にスライド操作されることで、スライダＣ２ａが移動し、出力制御部１０ｅは、再生されている動画像の現在の音量を決定可能となっている。
なお、ユーザによる第２のコントローラ画像Ｃ２（スライダＣ２ａ）に対する接触操作が解除されると、コントローラ表示制御部１０ｃは、第２のコントローラ画像Ｃ２の表示を終了させる。
【００３９】
＜第３のコントローラ画像の操作方法＞
設定部１０ｂにより設定された動画像を再生する際の制御内容が、「表示フレームの探索」の場合に、表示パネル６ａには第３のコントローラ画像Ｃ３が表示される（図７（ｂ）参照）。
この第３のコントローラ画像Ｃ３は、例えば、表示パネル６ａに表示されるフレーム画像を指定するためのスライダＣ３ａが設けられている。このスライダＣ３ａがユーザにより接触操作（タップ）された位置に移動可能となっており、この状態で、図７（ｂ）における左側或いは右側にスライド操作されることで、スライダＣ３ａが移動し、出力制御部１０ｅは、表示パネル６ａに表示されるフレーム画像を順方向或いは逆方向に切り替えていき、ユーザが所望するフレーム画像を探索可能となっている。
なお、ユーザによる第３のコントローラ画像Ｃ３（スライダＣ３ａ）に対する接触操作が解除されると、コントローラ表示制御部１０ｃは、第３のコントローラ画像Ｃ３の表示を終了させる。
【００４０】
＜コントローラ画像以外が操作された場合＞
例えば、タッチパネル７ａに接触操作領域Ａが未設定の状態や、タッチパネル７ａにおける接触操作領域Ａ以外でユーザにより接触操作（例えば、スワイプ操作）が行われた場合、出力制御部１０ｅは、ユーザによる接触操作に応じて、表示パネル６ａに表示されている動画像の時間的な位置を変位させる制御を行う。
具体的には、出力制御部１０ｅは、ユーザによるタッチパネル７ａ上の連続した接触操作に応じて逐次入力された接触位置のＸＹ座標に係る位置信号に基づいて、ユーザによるタッチパネル７ａ上の接触操作の操作速度（単位時間当たりのスワイプ量（例えば、一秒間に移動した画素数等））や操作方向を逐次測定する。そして、出力制御部１０ｅは、測定される操作速度に応じて、表示パネル６ａに表示されている動画像の時間的な位置を変位させる送り再生の再生速度を制御するとともに、測定される操作方向に応じて、動画像の送り再生の再生方向を制御する。
ここで、動画像の送り再生は、動画像を通常の再生速度に対して高速或いは低速で順方向或いは逆方向に再生することを言い、タッチパネル７ａ上のユーザによる接触操作の操作速度及び操作方向等に応じて、動画像の再生速度や再生方向が変化する。例えば、出力制御部１０ｅは、スワイプ操作の操作速度が高速なほど動画像の再生速度が高速となるように再生フレームレートや間引き率を変化させ、また、操作方向が所定方向（例えば、右方向等）の場合に動画像を順方向に送り再生する一方で、操作方向が所定方向と反対方向（例えば、左方向等）の場合に動画像を逆方向に送り再生する。
【００４１】
また、第１の接触操作がピンチ操作の場合、出力制御部１０ｅは、当該第１の接触操作に応じて、表示パネル６ａに表示されている動画像の一部分の寸法を変更して表示させる制御を行う。具体的には、例えば、タッチパネル７ａに接触させたユーザの二本の指（例えば、人差し指と親指等）どうしの間隔を大きくする（二本の指を開く）ようなピンチ操作（ピンチアウト操作）が行われると、出力制御部１０ｅは、ユーザの二本の指を基準として表示パネル６ａに表示されている動画像の一部分を拡大して表示させる。一方、タッチパネル７ａに接触させたユーザの二本の指どうしの間隔を小さくする（二本の指を閉じる）ようなピンチ操作（ピンチイン操作）が行われると、出力制御部１０ｅは、ユーザの二本の指を基準として表示パネル６ａに表示されている動画像の一部分を縮小して表示させる。
【００４２】
＜第４のコントローラ画像の操作方法＞
出力制御部１０ｅは、第２検出部により検出された第２の接触操作に基づいて、表示パネル６ａに動画像の寸法を変更して表示されている一部分を移動させる制御、すなわち、動画像の空間的な位置を変位させる制御を行う（図８（ｃ）参照）。
具体的には、第４のコントローラ画像Ｃ４がユーザにより接触操作（タップ）された状態でスライド操作されると、出力制御部１０ｅは、ユーザによるタッチパネル７ａ上の連続したスライド操作に応じて逐次入力された接触位置のＸＹ座標に係る位置信号に基づいて、ユーザによるタッチパネル７ａ上のスライド操作の操作量や操作方向を逐次測定する。そして、出力制御部１０ｅは、測定される操作量や操作方向に応じて、動画像のうちの表示パネル６ａの表示領域内に表示される画像領域を変位させる制御を行う。
【００４３】
なお、コントローラ表示制御部１０ｃによる第４のコントローラ画像Ｃ４の表示は、常時行われても良いし、ユーザによる第４のコントローラ画像Ｃ４に対する接触操作が解除された後、所定時間の経過に伴って当該第４のコントローラ画像Ｃ４の大きさを小さくしていき、最終的に当該第４のコントローラ画像Ｃ４の表示を終了させても良い。
【００４４】
＜再生処理＞
次に、撮像装置１００による再生処理について、図３を参照して説明する。
図３は、再生処理に係る動作の一例を示すフローチャートである。
【００４５】
図３に示すように、先ず、画像記録部５に記録されている動画像のうち、ユーザによる操作入力部７の所定操作に基づいて再生対象となる動画像が指定されると、画像処理部４は、指定された動画像を画像記録部５から読み出して符号化形式に応じて復号して、出力制御部１０ｅは、画像処理部４により復号された再生対象の動画像を構成する複数のフレーム画像を表示部６に出力して、表示パネル６ａ上で動画像を通常の再生速度で再生させる（ステップＳ１）。
なお、画像処理部４は、例えば、再生対象の動画像を構成する複数のフレーム画像のうち、所定時間分のフレーム画像の復号処理を事前に行って所定の格納手段（例えば、メモリ２等）に格納しておくことで、出力制御部１０ｅから指示されたフレーム画像を即座に表示パネル６ａに表示可能となっている。
【００４６】
次に、第１検出部１０ａは、ユーザによってタッチパネル７ａの接触操作が行われたか否かを判定する（ステップＳ２）。具体的には、第１検出部１０ａは、ユーザによりタッチパネル７ａが接触されることで当該タッチパネル７ａから出力される接触位置のＸＹ座標に係る位置信号が入力されたか否かに応じて、上記の判定を行う。
ここで、タッチパネル７ａの接触操作が行われていないと判定されると（ステップＳ２；ＮＯ）、第１検出部１０ａは、ユーザによってタッチパネル７ａの接触操作が行われたか否かを判定する処理を所定の時間間隔で繰り返し実行する。
【００４７】
一方、ステップＳ２にて、タッチパネル７ａの接触操作が行われたと判定されると（ステップＳ２；ＹＥＳ）、出力制御部１０ｅは、ユーザによってタッチパネル７ａが接触操作された時点で表示パネル６ａに表示されているフレーム画像を表示させたまま当該動画像の再生を一時停止させる（ステップＳ３）。続けて、出力制御部１０ｅは、ユーザによるタッチパネル７ａの接触操作がスワイプ操作である場合に、その接触操作に応じて、表示パネル６ａに表示されている動画像の時間的な位置を変位させる再生制御を行う（ステップＳ４）。具体的には、出力制御部１０ｅは、ユーザによるタッチパネル７ａ上の接触操作の操作速度や操作方向を逐次測定し、測定される操作速度に応じて、表示パネル６ａに表示されている動画像の時間的な位置を変位させる送り再生の再生速度を制御するとともに、測定される操作方向に応じて、動画像の送り再生の再生方向を制御する。また、出力制御部１０ｅは、ユーザによるタッチパネル７ａの接触操作がピンチ操作である場合に、その接触操作に応じて、表示パネル６ａに表示されている動画像の寸法を変更して表示させる制御を行う。
【００４８】
続けて、第１検出部１０ａは、ユーザによるタッチパネル７ａの接触操作が解除されたか否かを判定する（ステップＳ５）。具体的には、第１検出部１０ａは、ユーザによりタッチパネル７ａの接触操作が解除されることで当該タッチパネル７ａからの接触位置のＸＹ座標に係る位置信号の入力が停止されたか否かに応じて、上記の判定を行う。
ここで、ユーザによるタッチパネル７ａの接触操作が解除されていないと判定されると（ステップＳ５；ＮＯ）、出力制御部１０ｅは、処理をステップＳ４に戻し、上記と同様に、ユーザによるタッチパネル７ａの接触操作に応じて、表示パネル６ａに表示されている動画像の時間的な位置を変位させる再生制御を行う（ステップＳ４）。
【００４９】
一方、ステップＳ５にて、ユーザによるタッチパネル７ａの接触操作が解除されたと判定されると（ステップＳ５；ＹＥＳ）、第１検出部１０ａは、ユーザがタッチパネル７ａに接触して当該接触が解除されるまでの接触位置のＸＹ座標に係る位置信号に基づいて、第１の接触操作の軌跡を検出する（ステップＳ６）。
なお、出力制御部１０ｅは、ユーザによるタッチパネル７ａの接触操作が解除されたタイミングでの再生方向及び再生速度を維持したまま動画像を再生させる。
【００５０】
次に、設定部１０ｂは、テーブル記録部９に記録されている制御対応付けテーブルＴの「軌跡の特徴」の欄を参照して、第１検出部１０ａにより検出された第１の接触操作の軌跡の特徴（例えば、形状が「円」等）と予め設定されている所定の軌跡の特徴（例えば、「形状：円」等）とが一致するか否かを判定する（ステップＳ７）。
ここで、第１の接触操作の軌跡の特徴と所定の軌跡の特徴とが一致しないと判定されると（ステップＳ７；ＮＯ）、第１検出部１０ａは、処理をステップＳ２に戻し、上記と同様に、ユーザによってタッチパネル７ａの接触操作が行われたか否かを判定する（ステップＳ２）。
【００５１】
一方、ステップＳ７にて、第１の接触操作の軌跡の特徴と所定の軌跡の特徴とが一致すると判定されると（ステップＳ７；ＹＥＳ）、設定部１０ｂは、タッチパネル７ａ上における第１の接触操作の軌跡に対応する位置に当該第１の接触操作の軌跡の大きさに応じた大きさの接触操作領域Ａを設定するとともに、制御対応付けテーブルＴを参照して、第１の接触操作の軌跡の特徴である「軌跡の特徴」と対応付けられている「制御内容」を、動画像を再生する際の制御内容（例えば、第１の接触操作の軌跡の特徴が「形状：円」の場合には、「送り再生＋始点終点の設定」等）として設定する（ステップＳ８）。
続けて、コントローラ表示制御部１０ｃは、設定部１０ｂにより設定された制御内容に対応するコントローラ画像Ｃを接触操作領域Ａに重畳させるように表示パネル６ａにＯＳＤ表示させる（ステップＳ９）。
【００５２】
次に、動作処理部１０は、コントローラ操作処理（図４参照）を行う（ステップＳ１０）。
以下に、コントローラ操作処理について、図４を参照して詳細に説明する。
【００５３】
＜コントローラ操作処理＞
図４は、コントローラ操作処理に係る動作の一例を示すフローチャートである。
なお、図４には、例えば、第１の接触操作の軌跡の特徴が「形状：円」の場合に、制御内容として「送り再生＋始点終点の設定」が設定されて、表示パネル６ａに第１のコントローラ画像Ｃ１が表示されている状態で行われるコントローラ操作処理を例示する。
【００５４】
図４に示すように、先ず、出力制御部１０ｅは、動画像の再生開始位置である始点及び再生終了位置である終点を設定済みであるか否かを判定する（ステップＳ２１）。
ここで、始点及び終点を設定済みでないと判定されると（ステップＳ２１；ＮＯ）、第２検出部１０ｄは、ユーザにより第１のコントローラ画像Ｃ１の送り再生用操作部Ｃ１ａが操作されたか否かを判定する（ステップＳ２２）。具体的には、第２検出部１０ｄは、ユーザによりタッチパネル７ａにおける送り再生用操作部Ｃ１ａに対応する位置が接触されることで当該タッチパネル７ａから出力される接触位置のＸＹ座標に係る位置信号が入力されたか否かに応じて、上記の判定を行う。
【００５５】
ステップＳ２２にて、送り再生用操作部Ｃ１ａが操作されたと判定されると（ステップＳ２２；ＹＥＳ）、第２検出部１０ｄは、ユーザにより送り再生用操作部Ｃ１ａが時計回りにスライド操作されたか否かを判定する（ステップＳ２３）。
ここで、送り再生用操作部Ｃ１ａが時計回りにスライド操作されたと判定されると（ステップＳ２３；ＹＥＳ）、出力制御部１０ｅは、動画像を１フレーム画像ずつ順方向に送り再生（コマ送り）する制御を行う（ステップＳ２４；図９（ａ）参照）。その後、出力制御部１０ｅは、処理をステップＳ２１に戻し、始点及び終点を設定済みであるか否かを判定する（ステップＳ２１）。
一方、ステップＳ２３にて、送り再生用操作部Ｃ１ａが時計回りにスライド操作されていないと判定されると（ステップＳ２３；ＮＯ）、送り再生用操作部Ｃ１ａが反時計回りにスライド操作されている場合であり、出力制御部１０ｅは、動画像を１フレーム画像ずつ逆方向に送り再生（コマ戻し）する制御を行う（ステップＳ２５；図９（ｂ）参照）。その後、出力制御部１０ｅは、処理をステップＳ２１に戻し、始点及び終点を設定済みであるか否かを判定する（ステップＳ２１）。
【００５６】
ステップＳ２２にて、送り再生用操作部Ｃ１ａが操作されていないと判定されると（ステップＳ２２；ＮＯ）、第２検出部１０ｄは、ユーザにより第１のコントローラ画像Ｃ１の始点設定用操作部Ｃ１ｂが操作されたか否かを判定する（ステップＳ２６）。具体的には、第２検出部１０ｄは、ユーザによりタッチパネル７ａにおける始点設定用操作部Ｃ１ｂに対応する位置が接触されることで当該タッチパネル７ａから出力される接触位置のＸＹ座標に係る位置信号が入力されたか否かに応じて、上記の判定を行う。
ここで、始点設定用操作部Ｃ１ｂが操作されたと判定されると（ステップＳ２６；ＹＥＳ）、出力制御部１０ｅは、当該始点設定用操作部Ｃ１ｂが操作された時点で表示パネル６ａに表示されているフレーム画像を動画像の再生開始位置として設定する（ステップＳ２７）。その後、出力制御部１０ｅは、処理をステップＳ２１に戻し、始点及び終点を設定済みであるか否かを判定する（ステップＳ２１）。
【００５７】
一方、ステップＳ２６にて、始点設定用操作部Ｃ１ｂが操作されていないと判定されると（ステップＳ２６；ＮＯ）、第２検出部１０ｄは、ユーザにより第１のコントローラ画像Ｃ１の終点設定用操作部Ｃ１ｃが操作されたか否かを判定する（ステップＳ２８）。具体的には、第２検出部１０ｄは、ユーザによりタッチパネル７ａにおける終点設定用操作部Ｃ１ｃに対応する位置が接触されることで当該タッチパネル７ａから出力される接触位置のＸＹ座標に係る位置信号が入力されたか否かに応じて、上記の判定を行う。
ここで、終点設定用操作部Ｃ１ｃが操作されたと判定されると（ステップＳ２８；ＹＥＳ）、出力制御部１０ｅは、当該終点設定用操作部Ｃ１ｃが操作された時点で表示パネル６ａに表示されているフレーム画像を動画像の再生終了位置として設定する（ステップＳ２９）。その後、出力制御部１０ｅは、処理をステップＳ２１に戻し、始点及び終点を設定済みであるか否かを判定する（ステップＳ２１）。
【００５８】
上記のようにして、動画像の再生開始位置である始点及び再生終了位置である終点が設定されると、ステップＳ２１にて、始点及び終点を設定済みであると判定され（ステップＳ２１；ＹＥＳ）、コントローラ表示制御部１０ｃは、第１のコントローラ画像Ｃ１の表示を終了させ、その後、出力制御部１０ｅは、設定された始点及び終点を所定の記録手段（例えば、メモリ２等）に出力して記録させ（ステップＳ３０）、コントローラ操作処理を終了する。
【００５９】
また、ステップＳ２８にて、終点設定用操作部Ｃ１ｃが操作されていないと判定されると（ステップＳ２８；ＮＯ）、コントローラ表示制御部１０ｃは、第１のコントローラ画像Ｃ１の表示を終了させる（ステップＳ３１）。その後、処理を図３のステップＳ３に戻す。
ステップＳ３以降の各処理は、上記と同様であり、詳細な説明は省略するが、出力制御部１０ｅは、動画像の再生を一時停止させた後（ステップＳ３）、ユーザによるタッチパネル７ａの接触操作に応じて動画像の時間的な位置を変位させる再生制御を行う（ステップＳ４）。その後、上記と同様に、ユーザによるタッチパネル７ａの接触操作が解除されたと判定されると（ステップＳ５；ＹＥＳ）、第１検出部１０ａは、第１の接触操作の軌跡を新たに検出する（ステップＳ６）。そして、上記と同様に、第１の接触操作の軌跡の特徴と所定の軌跡の特徴とが一致すると判定されると（ステップＳ７；ＹＥＳ）、設定部１０ｂは、接触操作領域Ａを設定するとともに、動画像を再生する際の制御内容を設定した後（ステップＳ８）、コントローラ表示制御部１０ｃは、設定された制御内容に対応するコントローラ画像Ｃを表示パネル６ａにＯＳＤ表示させ（ステップＳ９）、動作処理部１０は、上記と同様に、コントローラ操作処理（図４参照）を行う（ステップＳ１０）。
【００６０】
以上のように、本実施形態の撮像装置１００によれば、第１の接触操作の軌跡に応じた態様の接触操作領域Ａをタッチパネル７ａ上に設定、より具体的には、タッチパネル７ａ上における第１の接触操作の軌跡に対応する位置に接触操作領域Ａを設定して、設定された接触操作領域Ａ内での第２の接触操作に基づいて、動画像の再生を制御するので、例えば、動画像の再生方向や再生速度を変更したい場合等に、タッチパネル７ａ上でユーザが所望する位置及び大きさの接触操作領域Ａを設定することができ、設定された接触操作領域Ａ内でユーザが第２の接触操作を行うことで動画像の再生の制御をより容易に行うことができる。
【００６１】
また、表示パネル６ａにおける接触操作領域Ａに対応する位置を、例えば、コントローラ画像（接触操作用画像）Ｃを用いて識別可能に表示させることができ、ユーザによる接触操作領域Ａ内での第２の接触操作をより容易に行わせることができる。
【００６２】
また、第１の接触操作の軌跡の特徴と、動画像を再生する際の制御内容とを対応付けて複数記録しておくことができ、第１の接触操作の軌跡と予め記録されている所定の軌跡の特徴が一致する場合に、当該第１の接触操作の軌跡の大きさに応じた大きさの接触操作領域Ａを設定することができるとともに、第１の接触操作の軌跡の特徴と対応付けられている制御内容を設定することができる。さらに、動画像を再生する際の制御内容に対応するコントローラ画像Ｃを表示パネル６ａにおける接触操作領域Ａに対応する位置に表示させて、当該コントローラ画像Ｃ上での第２の接触操作に基づいて、コントローラ画像Ｃに対応する制御内容で動画像の再生を制御することができる。
【００６３】
また、第１の接触操作の軌跡と予め設定されている所定の軌跡の特徴が一致しないか、或いは、接触操作領域Ａが設定されている状態で第２の接触操作以外の接触操作が行われた場合には、第２の接触操作に基づいて行われる制御内容とは異なる制御内容、例えば、ユーザによる接触操作の操作速度及び操作方向等に応じた動画像の再生速度や再生方向の制御等を行うことができ、ユーザによる直感的な操作に応じて動画像の時間的な位置を変位させることができる。
【００６４】
また、第１の接触操作がピンチ操作である場合に、当該第１の接触操作の軌跡の大きさ、すなわち、例えば、ユーザの二本の指の間隔に応じた大きさの接触操作領域Ａを設定することができ、ユーザによる直感的な操作で接触操作領域Ａを設定することができる。このとき、第１の接触操作に基づいて、動画像の再生を制御するので、ユーザによる直感的な操作に応じた制御内容で動画像の再生を制御することができ、表示パネル６ａに表示されている動画像の一部分の寸法を変更して表示させる制御を行うことができる。
さらに、第２の接触操作に基づいて、動画像の寸法を変更して表示される一部分を移動させる制御を行うので、表示パネル６ａに動画像の一部分が表示されている状態で、ユーザによる直感的な操作に応じて動画像の空間的な位置を変位させることができる。
【００６５】
また、第２の接触操作の終了に基づいて、タッチパネル７ａ上での接触操作領域Ａの設定を解除するので、ユーザにより接触操作領域Ａが誤操作されてしまうといったことを抑制することができ、使い勝手の向上を図ることができる。
【００６６】
なお、本発明は、上記実施形態に限定されることなく、本発明の趣旨を逸脱しない範囲において、種々の改良並びに設計の変更を行っても良い。
例えば、上記実施形態では、動画像を再生する際の制御内容に応じてコントローラ画像Ｃを異ならせるようにしたが、一例であってこれに限られるものではなく、一のコントローラ画像を用いても良い。具体的には、第１のコントローラ画像Ｃ１を用いて、ユーザが最初に接触操作した位置（タップ位置）や円弧状のスライド操作の操作方向に応じて、制御内容を異ならせても良い。例えば、最初のタップ位置が上側で、且つ、スライド操作の操作方向が時計回りの場合には、制御内容として、「送り再生＋始点及び終点の設定」を設定し、また、最初のタップ位置が上側で、且つ、スライド操作の操作方向が反時計回りの場合には、制御内容として、「表示フレームの探索」を設定し、また、最初のタップ位置が下側の場合には、制御内容として、「音量の調整」を設定するようにしても良い。
【００６７】
また、例えば、「軌跡の特徴」が縦方向（ｙ軸方向）の直線に連続した横方向（ｘ）の直線の軌跡形状を表す「形状：直角線（縦横）」の場合には（図１０（ａ）参照）、各直線の方向に互いに異なる制御内容を割り当てても良い。具体的には、図１０（ｂ）に示すように、画質の調整用のパラメータとして、例えば、明るさをｙ軸に割り当てるとともに彩度をｘ軸に割り当てて、２次元空間内で明るさ及び彩度を調整可能としても良い。
【００６８】
さらに、第１の接触操作が連続して行われる回数に応じて、制御内容を異ならせても良い。ここで、連続して行われる第１の接触操作は、ユーザによるタッチパネル７ａ上の接触状態が解除されることなく続けて行われる接触操作であっても良いし、一の第１の接触操作後にタッチパネル７ａに対する接触状態が一旦解除され、その後、所定の時間以内にユーザがタッチパネル７ａに再度接触して次の第１の接触操作が行われるような接触操作であっても良い。
例えば、第１の接触操作の軌跡の形状が円の場合、１回転では制御内容を「送り再生」とし、２回転では制御内容を「送り再生＋始点及び終点の設定」としても良い。また、例えば、第１の接触操作の軌跡の形状が直線の場合、所定の一方向のみのスワイプ操作では制御内容を「音量の調整」とし、所定の一方向へのスワイプ操作に続けて反対方向へのスワイプ操作が行われた場合の制御内容を「音量の調整＋音質の調整」とし、所定の一方向へのスワイプ操作に続けて反対方向へのスワイプ操作が行われ、さらに、再度所定の一方向へのスワイプ操作が行われた場合の制御内容を「音量の調整＋高音の調整＋低音の調整」としても良い。
【００６９】
また、第１の接触操作の軌跡の形状が直線の場合、縦方向（ｙ軸方向）へのスワイプ操作を例示したが、例えば、ユーザによる接触操作の操作速度及び操作方向等に応じて動画像の再生速度や再生方向を変化させない場合には、横方向（ｘ軸方向）へのスワイプ操作としても良い。
【００７０】
さらに、撮像装置１００の構成は、上記実施形態に例示したものは一例であり、これに限られるものではない。また、出力制御装置として、撮像装置１００を例示したが、一例であってこれに限られるものではなく、撮像機能を具備するか否かは適宜任意に変更可能である。
また、コンテンツの出力制御として、動画像を再生する際の制御を例示したが、一例であってこれに限られるものではなく、適宜任意に変更可能である。例えば、複数の静止画像をスライドショーで表示する際に、切り替え速度や切り替え方向等を制御しても良いし、また、ｗｅｂページやアプリケーション画面を表示する際に、スクロール速度やスクロール方向等を制御しても良いし、音楽などを発する際に、楽曲の切り替え速度や切り替え方向や音量等を制御しても良い。これらの場合にも、コンテンツの出力の制御をより容易に行うことができる。
【００７１】
加えて、上記実施形態にあっては、第１の検出手段、設定手段、第２の検出手段、出力制御手段としての機能を、中央制御部１の制御下にて、第１検出部１０ａ、設定部１０ｂ、第２検出部１０ｄ、出力制御部１０ｅが駆動することにより実現される構成としたが、これに限られるものではなく、中央制御部１のＣＰＵによって所定のプログラム等が実行されることにより実現される構成としても良い。
すなわち、プログラムメモリ（図示略）に、第１検出処理ルーチン、設定処理ルーチン、第２検出処理ルーチン、出力制御処理ルーチンを含むプログラムを記録しておく。そして、第１検出処理ルーチンにより中央制御部１のＣＰＵに、タッチパネル（接触入力手段）７ａに対する接触状態を連続させた接触操作である第１の接触操作の軌跡を検出する機能を実現させるようにしても良い。また、設定処理ルーチンにより中央制御部１のＣＰＵに、検出された第１の接触操作の軌跡に応じた態様の接触操作領域Ａをタッチパネル７ａ上に設定する機能を実現させるようにしても良い。また、第２検出処理ルーチンにより中央制御部１のＣＰＵに、設定された接触操作領域Ａ内での接触操作である第２の接触操作を検出する機能を実現させるようにしても良い。また、出力制御処理ルーチンにより中央制御部１のＣＰＵに、検出された第２の接触操作に基づいて、コンテンツの出力を制御する機能を実現させるようにしても良い。
【００７２】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７３】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ユーザにより接触操作される接触入力手段と、
前記接触入力手段に対する接触状態を連続させた接触操作である第１の接触操作の軌跡を検出する第１の検出手段と、
前記第１の検出手段により検出された前記第１の接触操作の軌跡に応じた態様の接触操作領域を前記接触入力手段上に設定する設定手段と、
前記設定手段により設定された前記接触操作領域内での接触操作である第２の接触操作を検出する第２の検出手段と、
前記第２の検出手段により検出された前記第２の接触操作に基づいて、コンテンツの出力を制御する出力制御手段と、
を備えることを特徴とする出力制御装置。
＜請求項２＞
表示手段と、
前記表示手段における前記接触操作領域に対応する位置を識別可能に表示させる制御を行う表示制御手段と、を更に備えることを特徴とする請求項１に記載の出力制御装置。
＜請求項３＞
前記設定手段は、前記第１の検出手段により検出された前記第１の接触操作の軌跡と予め設定されている所定の軌跡の特徴が一致する場合に、当該第１の接触操作の軌跡の大きさに応じた大きさの前記接触操作領域を設定することを特徴とする請求項２に記載の出力制御装置。
＜請求項４＞
複数種類の互いに異なる前記第１の接触操作の軌跡の特徴と、コンテンツを出力する際の互いに異なる制御内容とを対応付けて記録する記録手段を更に備え、
前記設定手段は、前記第１の検出手段により検出された前記第１の接触操作の軌跡と予め前記記録手段に記録されている所定の軌跡の特徴が一致する場合に、前記接触操作領域を設定するとともに、前記第１の接触操作の軌跡の特徴と対応付けられている制御内容を設定し、
前記表示制御手段は、前記設定手段により設定された制御内容に対応する接触操作用画像を前記表示手段における前記接触操作領域に対応する位置に表示させる制御を行い、
前記出力制御手段は、前記第２の検出手段により検出された前記接触操作用画像上での前記第２の接触操作に基づいて、前記設定手段により設定された制御内容でコンテンツの出力を制御することを特徴とする請求項２又は３に記載の出力制御装置。
＜請求項５＞
コンテンツは、動画像であり、
前記設定手段は、前記接触操作領域を設定するとともに、前記第１の接触操作の軌跡の特徴と対応付けられている前記動画像を再生する際の制御内容を設定し、
前記表示制御手段は、前記設定手段により設定された前記動画像を再生する際の制御内容に対応する接触操作用画像を前記表示手段における前記接触操作領域に対応する位置に表示させる制御を行い、
前記出力制御手段は、前記第２の検出手段により検出された前記接触操作用画像上での前記第２の接触操作に基づいて、前記接触操作用画像に対応する制御内容で前記動画像の再生を制御することを特徴とする請求項４に記載の出力制御装置。
＜請求項６＞
前記出力制御手段は、更に、
前記第１の検出手段により検出された前記第１の接触操作の軌跡と予め設定されている所定の軌跡の特徴が一致しないか、或いは、前記設定手段により前記接触操作領域が設定されている状態で前記第２の接触操作以外の接触操作が行われた場合には、前記第２の接触操作に基づいて行われる制御内容とは異なる制御内容でコンテンツの出力を制御することを特徴とする請求項４又は５に記載の出力制御装置。
＜請求項７＞
前記設定手段は、前記第１の接触操作が所定の種類の接触操作である場合に、当該第１の接触操作の軌跡の大きさに応じた大きさの前記接触操作領域を設定することを特徴とする請求項２〜６の何れか一項に記載の出力制御装置。
＜請求項８＞
前記出力制御手段は、更に、
前記第１の接触操作が所定の種類の接触操作である場合に、当該第１の接触操作に基づいて、コンテンツの出力を制御することを特徴とする請求項７に記載の出力制御装置。
＜請求項９＞
コンテンツは、動画像であり、
前記設定手段は、前記第１の接触操作がピンチ操作である場合に、当該第１の接触操作の軌跡の大きさに応じた大きさの前記接触操作領域を設定し、
前記出力制御手段は、前記第１の接触操作がピンチ操作である場合に、当該第１の接触操作に基づいて、前記表示手段に表示されている前記動画像の一部分の寸法を変更して表示させる制御を行い、前記第２の検出手段により検出された前記第２の接触操作に基づいて、前記動画像の寸法を変更して表示される一部分を移動させる制御を行うことを特徴とする請求項７又は８に記載の出力制御装置。
＜請求項１０＞
前記設定手段は、
前記第２の検出手段により検出される前記第２の接触操作の終了に基づいて、前記接触入力手段上での前記接触操作領域の設定を解除することを特徴とする請求項１〜９の何れか一項に記載の出力制御装置。
＜請求項１１＞
前記設定手段は、
前記接触入力手段上における前記第１の検出手段により検出された前記第１の接触操作の軌跡に対応する位置に前記接触操作領域を設定することを特徴とする請求項１〜１０の何れか一項に記載の出力制御装置。
＜請求項１２＞
ユーザにより接触操作される接触入力手段を備える出力制御装置を用いた出力制御方法であって、
前記接触入力手段に対する接触状態を連続させた接触操作である第１の接触操作の軌跡を検出する処理と、
検出された前記第１の接触操作の軌跡に応じた態様の接触操作領域を前記接触入力手段上に設定する処理と、
設定された前記接触操作領域内での接触操作である第２の接触操作を検出する処理と、
検出された前記第２の接触操作に基づいて、コンテンツの出力を制御する処理と、
を含むことを特徴とする出力制御方法。
＜請求項１３＞
ユーザにより接触操作される接触入力手段を備える出力制御装置のコンピュータに、
前記接触入力手段に対する接触状態を連続させた接触操作である第１の接触操作の軌跡を検出する機能と、
検出された前記第１の接触操作の軌跡に応じた態様の接触操作領域を前記接触入力手段上に設定する機能と、
設定された前記接触操作領域内での接触操作である第２の接触操作を検出する機能と、
検出された前記第２の接触操作に基づいて、コンテンツの出力を制御する機能と、
を実現させることを特徴とするプログラム。
【符号の説明】
【００７４】
１００    撮像装置
１        中央制御部
６        表示部
６ａ      表示パネル
７        操作入力部
７ａ      タッチパネル
９        テーブル記録部
１０      動作処理部
１０ａ    第１検出部
１０ｂ    設定部
１０ｃ    コントローラ表示制御部
１０ｄ    第２検出部
１０ｅ    出力制御部
【図１】
0006604274.tif 000002
【図２】
0006604274.tif 000003
【図３】
0006604274.tif 000004
【図４】
0006604274.tif 000005
【図５】
0006604274.tif 000006
【図６】
0006604274.tif 000007
【図７】
0006604274.tif 000008
【図８】
0006604274.tif 000009
【図９】
0006604274.tif 000010
【図１０】
0006604274.tif 000011